(57)【特許請求の範囲】
【請求項１】
室内外の境界に設けられる開口枠と、
前記開口枠内にスライド開閉自在に設けられる障子と、
前記開口枠に取り付けられ、前記障子が閉じられた際に当該障子の戸先框内に挿入され、前記戸先框に取り付けられた錠本体と係合する錠受け部材と、
を有し、
前記錠受け部材は、見付け方向に沿う平面を有する板状の挿入部を有し、
前記挿入部は、前記戸先框を形成し見付け方向に沿う平面を有する板状の壁部と、上下に重なる位置に配置され、
前記障子が持ち上げられた際に、前記挿入部により前記壁部の上昇が規制されることを特徴とする建具。
【請求項２】
請求項１に記載の建具であって、
前記挿入部は、前記戸先框に挿入されている部位の全域にて前記壁部と上下に重なっていることを特徴とする建具。
【請求項３】
請求項１または請求項２に記載の建具であって、
前記戸先框内に設けられ、前記挿入部が挿入される被挿入部を有する錠カバー部材を有し、
前記障子が持ち上げられた際に、前記挿入部の下端が前記錠カバー部材を介して前記壁部に押圧されることにより前記壁部の上昇が規制されることを特徴とする建具。
【請求項４】
請求項１から３のいずれかに記載の建具であって、
前記錠本体は、前記戸先框の長手方向に平行な回動軸によって回動自在なフック部材を備え、前記フック部材は、前記挿入部に形成され見込み方向に連通する開口でなる係合部に係合されることを特徴とする建具。
【発明の詳細な説明】
【技術分野】
【０００１】
本発明は、開口枠と、開口枠内にスライド開閉自在に設けられる障子と、開口枠に取り付けられて障子の戸先框内に挿入される錠受け部材と、を有する建具に関する。
【背景技術】
【０００２】
開口枠と、開口枠内にスライド開閉自在に設けられる障子と、開口枠に取り付けられて障子の戸先框内に挿入される錠受け部材と、を有する建具としては、例えば、中空の戸先框の適所に窓口に装置基枠が組み付けられており、装置基枠に設けられた縦軸にて回動自在に枢着された施錠片（鎌）を収設し、障子の閉塞時に戸当り側に設けた受止片に衝接して係止するように構成された建具が知られている（例えば、特許文献１参照）。装置基枠は、戸先框の見込み方向に沿う面に固定されており、施錠片は召合せ框側に凹設された部位に収設されている。このため、障子の閉塞時には、戸当り側に設けられた受止片が、戸先框の装置基枠内に挿入されて施錠片が係止される。
【先行技術文献】
【特許文献】
【０００３】
【特許文献１】特許２００６−２３３５５４号明細書
【発明の概要】
【発明が解決しようとする課題】
【０００４】
上記のような建具の装置基枠は、戸先框の見込み方向に沿う面に固定されているので、見込み方向に沿う面と固定されている部位の剛性は高いが、召合せ框側に凹設された部位の剛性は低く形成されている。そして、障子の閉塞時に戸当り側に設けた受止片が戸先框の装置基枠内に挿入されているので、障子が持ち上げられると、装置基枠と受止片とが接触するため、剛性が高い部位と接触した受止片を破損したり、装置基枠の、剛性が低い召合せ框側に凹設された部位が変形する虞があるという課題がある。
【０００５】
本発明は、かかる課題に鑑みてなされたものであり、その目的とするところは、閉塞状態の障子を持ち上げても戸先側に設けられた錠が破損しにくい建具を提供することにある。
【課題を解決するための手段】
【０００６】
かかる目的を達成するために本発明の建具は、室内外の境界に設けられる開口枠と、前記開口枠内にスライド開閉自在に設けられる障子と、前記開口枠に取り付けられ、前記障子が閉じられた際に当該障子の戸先框内に挿入され、前記戸先框に取り付けられた錠本体と係合する錠受け部材と、を有し、前記錠受け部材は、見付け方向に沿う平面を有する板状の挿入部を有し、前記挿入部は、前記戸先框を形成し見付け方向に沿う平面を有する板状の壁部と、上下に重なる位置に配置され、前記障子が持ち上げられた際に、前記挿入部により前記壁部の上昇が規制されることを特徴とする建具である。
【０００７】
このような建具によれば、障子が閉じられた際には、開口枠に設けられている錠受け部材が、障子の戸先框内に挿入されて戸先框に取り付けられた錠本体と係合する。このとき、錠受け部材の見付け方向に沿う平面を有する板状の挿入部は、戸先框の、見付け方向に沿う平面を有する板状の壁部と上下方向に重なる位置、すなわち、挿入部と壁部とがほぼ同じ平面をなすように配置されている。この状態にて、障子が持ち上げられて、壁部の上端部が挿入部の下端部を押圧して壁部の上昇が規制される際には、挿入部と壁部とが交差する方向に配置されている場合より、広い領域を押圧することになる。このため、押圧力が挿入部及び壁部の局所に集中しないので、閉塞状態の障子を持ち上げても戸先側に設けられた錠が破損しにくい建具を提供することが可能である。
【０００８】
かかる建具であって、前記挿入部は、前記戸先框に挿入されている部位の全域にて前記壁部と上下に重なっていることが望ましい。  
このような建具によれば、挿入部は、戸先框に挿入されている部位の全域にて壁部と上下に重なっているので、挿入部と壁部とを最も広い領域にて上下に重ねることが可能である。このため、閉塞状態の障子を持ち上げた際に、挿入部及び壁部への押圧力が、より集中しにくいので、障子を持ち上げても戸先側に設けられた錠がより破損しにくい建具を提供することが可能である。
【０００９】
かかる建具であって、前記戸先框内に設けられ、前記挿入部が挿入される被挿入部を有する錠カバー部材を有し、前記障子が持ち上げられた際に、前記挿入部の下端が前記錠カバー部材を介して前記壁部に押圧されることにより前記壁部の上昇が規制されることが望ましい。  
このような建具によれば、挿入部は、戸先框内に設けられた錠カバー部材の被挿入部に挿入されており、障子が持ち上げられた際には、挿入部の下端が錠カバー部材を介して壁部に押圧される。このとき、挿入部が挿入されている錠カバー部材は、挿入部より大きいので、挿入部と壁部との間に介在された錠カバー部材により確実に挿入部の下端を押圧して確実に障子の上昇を規制することが可能である。
【００１０】
かかる建具であって、前記錠本体は、前記戸先框の長手方向に平行な回動軸によって回動自在なフック部材を備え、前記フック部材は、前記挿入部に形成され見込み方向に連通する開口でなる係合部に係合されることが望ましい。  
このような建具によれば、錠本体が備えるフック部材は戸先框の長手方向に平行な回動軸周りに回動自在なので、見付け方向に沿う平面を有する板状の挿入部に、見込み方向に連通する開口でなる係合部を形成して、挿入部の形状を生かしたシンプルな錠を構成することが可能である。
【発明の効果】
【００１１】
本発明によれば、閉塞状態の障子を持ち上げても戸先側に設けられた錠が破損しにくい建具を提供することが可能である。
【図面の簡単な説明】
【００１２】
【図１】本実施形態に係る建具の横断面図である。
【図２】本実施形態に係る建具の戸先部分を説明するための横断面図である。
【図３】図１におけるＡ−Ａ断面図である。
【図４】図１におけるＢ−Ｂ断面図である。
【発明を実施するための形態】
【００１３】
以下、本発明の一実施形態に係る建具について図面を参照して説明する。
【００１４】
本実施形態の建具は、室内外の境界に設けられ、躯体に取り付けられた樹脂製の四方枠と、四方枠に取り付けられて見付け方向に移動してスライド開閉可能な樹脂製の障子を備えた引き違い窓を例に挙げて説明する。本実施形態の障子の戸先框と四方枠の縦枠との間にて施錠可能とする戸先錠が設けられており、戸先框の室内側には、戸先錠を解錠するための操作部が設けられている。
【００１５】
以下の説明では、建具を室内側から見たときに上下となる方向を上下方向、左右となる方向を左右方向または見付け方向、室内外方向である奥行き方向を見込み方向として示す。また、戸先錠単体及び案内部材単体について説明する場合であっても、戸先錠及び案内部材が建具に取り付けられた状態にて上下を示すこととする。
【００１６】
本実施形態の建具１０は、図１に示すように、室内外の境界に設けられ建物や壁などの開口に取り付けられる開口枠１１と、開口枠１１に設けられ見付け方向に移動自在な内障子１２及び外障子１６とを有している。そして、内障子１２及び外障子１６を構成する框は、中空部を有する成形部材であり、戸先側に位置する戸先框１４、１７と戸先框１４、１７の先端が収容される縦枠１１ａとを施錠するための戸先錠２０が設けられている。
【００１７】
内障子１２側に設けられた戸先錠２０と外障子１６側に設けられた戸先錠２０とは、左右が反転している構造なので、ここでは図１の右側に示した内障子１２側に設けられた戸先錠２０を例に挙げて説明し、外障子１６側の説明を省略するが、外障子１６側も同様である。
【００１８】
戸先框１４は、上下方向に繋がった中空部を有する押出成形部材である。戸先框１４は、図２〜図４に示すように、室外に臨む室外側壁部１４ａと、室内側に臨む室内側壁部１４ｂとを有し、室内側壁部１４ｂは、室外側壁部１４ａより召合せ框側に突出するように形成されている。室外側壁部１４ａの見付け方向におけるほぼ中央に、室外側壁部１４ａと室内側壁部１４ｂと連結する中央連結壁部１４ｃが設けられている。
【００１９】
中央連結壁部１４ｃの召合せ框側には、中央連結壁部と間隔を隔てて対向する召合せ側壁部１４ｄが設けられている。召合せ側壁部１４ｄは、室外側壁部１４ａの召合せ側の端部とほぼ同じ位置に形成されており、召合せ側壁部１４ｄの室外側の端部と室外側壁部１４ａとの間には戸先側に窪む、押縁１９（図１）の挿入凹部１４ｅが設けられている。また、室内側壁部１４ｂの室外側壁部１４ａより召合せ側に突出した部位は、面材としてのガラス２５が当接されるガラス当接部１４ｆをなしている。
【００２０】
中央連結壁部１４ｃより戸先側の室外側には、戸先框１４内にて室外側壁部１４ａと対向して平行をなす室外対向壁部１４ｇが設けられており、室外側壁部１４ａと室外対向壁部１４ｇとの戸先側が外側戸先連結部１４ｈにて連結されるとともに、召合せ側は中央連結壁部１４ｃと繋がって室外側中空部１４ｉが形成されている。中央連結壁部１４ｃより戸先側の室内側には、戸先框１４内にて室内側壁部１４ｂと対向して平行をなす室内対向壁部１４ｊが設けられており、室内側壁部１４ｂと室内対向壁部１４ｊとの戸先側が内側戸先連結部１４ｋにて連結されるとともに、召合せ側は中央連結壁部１４ｃと繋がって室内側中空部１４ｌが形成されている。
【００２１】
また、室外側中空部１４ｉと室内側中空部１４ｌとは見付け方向に間隔が隔てられている。室内側中空部１４ｌ内は、内部を見付け方向において２つに分ける分割壁部１４ｍが設けられており、中央連結壁部１４ｃと召合せ側壁部１４ｄとの間には、見込み方向において室内対向壁部１４ｊと同じ位置に延出された延出壁部１４ｎとが設けられている。
【００２２】
戸先錠２０は、図１、図２に示すように、縦枠１１ａ側に錠受け部材２２が設けられ、内障子１２の戸先框１４に錠受け部材２２と係合する錠本体３０が設けられている。
【００２３】
錠受け部材２２は、ステンレス製の板材であり、縦枠１１ａを介して固定板２８にビス６０にて固定される座板部２４と座板部２４の室外側の端部からほぼ直角に延出され、見付け方向における召し合わせ側に突出する挿入部としての係合壁部２６とを有している。係合壁部２６には、錠本体３０の後述するフック部３７ｂが係合される係合部としての、見込み方向に連通する開口でなる係合孔２６ｂ（図４）が設けられている。この錠受け部材２２は、縦枠１１ａの、内障子１２の戸先框１４が入り込む溝部１１ｂに係合壁部２６が内障子１２側に突出するように固定されている。
【００２４】
錠本体３０は、戸先框１４に設けられた錠カバー部材３１と、鉛直方向（戸先框１４の長手方向）に沿って配置される２本の回動軸３２、３３と、錠カバー部材３１に取り付けられ２本の回動軸３２、３３を支持するホルダ３４と、一方の回動軸３２を中心に回動自在に設けられたフック部材３７と、他方の回動軸３３を中心に回動自在に設けられてフック部材３７の回動を規制する回動規制部材３９と、錠カバー部材３１と戸先框１４の室内側にそれぞれ設けられた開口から突出された操作レバー３５と、を有している。すなわち、錠本体３０は、外周部分を囲む錠カバー部材３１内に、錠受け部材２２と係合して施錠する施錠機構と解除機構とを備えており、フック部材３７と係合する錠受け部材２２が挿入される被挿入部としての挿入口３１ａを備えている。
【００２５】
この戸先錠２０は、内障子１２が開かれた状態にて、フック部材３７が係合孔２６ｂと係合しない解除位置に配置されており、内障子１２を締める方向に移動させることにより、錠カバー部材３１内に進入する錠受け部材２２によりフック部材３７が回動されてフック部材３７が係合孔２６ｂと係合するように構成されている。フック部材３７と係合孔２６ｂとが係合した状態で回動規制部材３９によりフック部３７ｂの回動が規制されて係合状態が維持されており、操作レバー３５を操作することによりフック部材３７と係合孔２６ｂとの係合が外れて、内障子１２を開くことができるように構成されている。
【００２６】
錠カバー部材３１は、戸先框１４を形成する室外対向壁部１４ｇ、外側戸先連結部１４ｈ、室内対向壁部１４ｊ、内側戸先連結部１４ｋ、中央連結壁部１４ｃ、分割壁部１４ｍ、延出壁部１４ｎのそれぞれが切除された部位に嵌め込まれて固定されている。特に、室外対向壁部１４ｇは、切り欠かれて一部が上下に分かれるとともに、その間に錠カバー部材３１が嵌合されている。このため、錠カバー部材３１の上端には、上下に分けられた室外対向壁部１４ｇのうちの上側の室外対向壁部１４ｇの下端が当接され、錠カバー部材３１の下端には、上下に分けられた室外対向壁部１４ｇのうちの下側の室外対向壁部１４ｇの上端が当接されている。
【００２７】
そして、錠カバー部材３１に設けられている挿入口３１ａは、上下に分けられた室外対向壁部１４ｇの間に形成されており、内障子１２の閉塞状態にて、挿入口３１ａに挿入された錠受け部材２２は、見込み方向において同じ位置に配置されるように構成されている。言い換えると、見付け方向に沿う平面２６ａを有する板状の係合壁部２６は、戸先框１４を形成し見付け方向に沿う平面１４ｏを有する板状の室外対向壁部１４ｇと、上下に重なる位置に配置されるように構成されている。このとき、係合壁部２６は戸先框１４に挿入されている部位全体が室外対向壁部１４ｇと上下に重なる位置に配置されている。
【００２８】
このため、内障子１２の閉塞状態にて、内障子１２が持ち上がられると、錠カバー部材３１が有する挿入口３１ａの下側の部位３１ｃが、係合壁部２６の下端２６ｃに当接されて内障子１２の上昇が規制される。
【００２９】
本実施形態の建具１０によれば、内障子１２が閉じられた際には、開口枠１１に設けられている錠受け部材２２が、内障子１２の戸先框１４内に挿入されて戸先框１４に取り付けられた錠本体３０のフック部材３７と係合する。このとき、錠受け部材２２の見付け方向に沿う平面２６ａを有する板状の係合壁部２６は、戸先框１４の、見付け方向に沿う平面１４ｏを有する板状の室外対向壁部１４ｇと上下方向に重なる位置、すなわち、係合壁部２６と室外対向壁部１４ｇとがほぼ同じ平面をなすように配置されている。
【００３０】
この状態にて、内障子１２が持ち上げられて、室外対向壁部１４ｇの上端部が係合壁部２６の下端部を押圧する際には、係合壁部２６と室外対向壁部１４ｇとが交差する方向に配置されて押圧する場合より、広い領域を押圧することになる。このため、押圧力が係合壁部２６及び室外対向壁部１４ｇの局所に集中しないので、閉塞状態の内障子１２を持ち上げても戸先側に設けられた戸先錠２０が破損しにくい建具１０を提供することが可能である。
【００３１】
また、係合壁部２６は、戸先框１４に挿入されている部位の全域にて室外対向壁部１４ｇと上下に重なっているので、係合壁部２６と室外対向壁部１４ｇとを最も広い領域にて上下に重ねることが可能である。このため、閉塞状態の内障子１２を持ち上げた際に、係合壁部２６及び室外対向壁部１４ｇへの押圧力が、より集中しにくいので、内障子１２を持ち上げても戸先側に設けられた戸先錠２０がより破損しにくい建具１０を提供することが可能である。
【００３２】
また、係合壁部２６は、戸先框１４内に設けられた錠カバー部材３１の挿入口３１ａに挿入されており、内障子１２が持ち上げられた際には、係合壁部２６の下端が錠カバー部材３１を介して室外対向壁部１４ｇに押圧される。このとき、係合壁部２６が挿入されている錠カバー部材３１は、係合壁部２６より大きいので、係合壁部２６と室外対向壁部１４ｇとの間に介在された錠カバー部材３１により確実に係合壁部２６の下端を押圧して確実に内障子１２の上昇を規制することが可能である。
【００３３】
また、錠本体３０が備えるフック部材３７は戸先框１４の長手方向に平行な回動軸３２周りに回動自在なので、見付け方向に沿う平面２６ａを有する板状の係合壁部２６に、見込み方向に連通する係合孔２６ｂを形成して、係合壁部２６の形状を生かしたシンプルな錠を構成することが可能である。
【００３４】
なお、本発明は前記実施形態の構成に限定されるものではない。  
例えば、前記実施形態では、建具１０としての引き違い窓を例示したが、本発明の建具１０は、引き違い窓に限らず、建具を室内側から見たときに上下となる方向を左右方向、左右となる方向を上下方向または見付け方向、室内外方向である奥行き方向を見込み方向とした上げ下げ窓であってもよい。また、片引き窓などであってもよい。
【００３５】
また、前記実施例では、係合壁部の、戸先框１４に挿入されている部位の戸先側端部が、室外対向壁部１４ｇと外側戸先連結部１４ｈとが直交して形成する直角の角部で上下に重なっているが、室外対向壁部１４ｇと外側戸先連結部１４ｈとで形成される角部が、弧状あるいは、見込み方向外側に凹んだ凹状としてもよい。
【００３６】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３７】
１０  建具、１１  開口枠、１２  内障子、１４  戸先框、１４ａ  室外側壁部、
１４ｇ  室外対向壁部、１４ｏ  平面、１６  外障子、２０  戸先錠、
２２  錠受け部材、２６  係合壁部、２６ａ  平面、２６ｂ  係合孔、２６ｃ  下端、
３０  錠本体、３１  錠カバー部材、３１ａ  挿入口、３１ｃ  挿入口の下側の部位
【図１】
0005313972.tif 000002
【図２】
0005313972.tif 000003
【図３】
0005313972.tif 000004
【図４】
0005313972.tif 000005